(57)【要約】【課題】太陽熱の利用により削減できた燃料費が、削減目標値に対してどの程度達成できたかを直感的に把握することができる削減燃料費算出装置及び該削減燃料費算出装置を有する太陽熱給湯システムを提供する。【解決手段】削減燃料費算出装置５は、太陽熱温水器から供給された予熱温水を給湯器において加熱する際に、太陽熱温水器での予熱で得た熱量から給湯器において所定の使用期間に削減できた燃料費を、削減値算出手段Ｐ１によって算出し、この算出した前記使用期間に削減できた燃料費についての、削減目標値記憶手段Ｍ１に記憶された前記使用期間での燃料費の削減目標値に対する、達成度合を達成度合算出手段Ｐ２によって算出して、この達成度合に応じた表示意匠を表示制御手段Ｐ３によって表示する。【選択図】図１
2011220647.tif 000002
【特許請求の範囲】
【請求項１】
太陽熱温水器と、前記太陽熱温水器から供給される予熱温水を加熱する給湯器と、を有する太陽熱給湯システムで用いられて、前記太陽熱温水器での予熱により前記給湯器によって前記予熱温水を加熱する際に削減できた燃料費を算出する削減燃料費算出装置において、
前記給湯器における所定の使用期間での燃料費の削減目標値が記憶された削減目標値記憶手段と、
前記太陽熱温水器での予熱で得た熱量に基づいて、前記給湯器において前記使用期間に削減できた燃料費を算出する削減値算出手段と、
前記削減値算出手段で算出された前記使用期間に削減できた燃料費についての、前記削減目標値記憶手段に記憶された前記使用期間での燃料費の削減目標値に対する、達成度合を算出する達成度合算出手段と、
前記達成度合算出手段によって算出された前記達成度合に応じた表示意匠を表示する表示制御手段と、が設けられている
ことを特徴とする削減燃料費算出装置。
【請求項２】
前記削減目標値記憶手段に記憶される前記使用期間での燃料費の削減目標値が入力される削減目標値入力手段と、
前記削減目標値入力手段に入力された前記使用期間での燃料費の削減目標値に基づいて、前記使用期間とは異なる少なくとも１つの他の使用期間での燃料費の削減目標値を算出するとともに、前記使用期間での燃料費の削減目標値、及び、前記他の使用期間での燃料費の削減目標値を前記削減目標値記憶手段に記憶させる使用期間毎削減目標値算出手段を、さらに備え、
前記削減値算出手段が、前記太陽熱温水器による予熱で得た熱量に基づいて、前記給湯器において前記使用期間に削減できた燃料費、及び、前記他の使用期間に削減できた燃料費を算出し、
前記達成度合算出手段が、前記削減値算出手段で算出された前記使用期間に削減できた燃料費についての、前記削減目標値記憶手段に記憶された前記使用期間での燃料費の削減目標値に対する、達成度合、及び、前記削減値算出手段で算出された前記他の使用期間に削減できた燃料費についての、前記削減目標値記憶手段に記憶された前記他の使用期間での燃料費の削減目標値に対する、達成度合を算出するものである
ことを特徴とする請求項１に記載の削減燃料費算出装置。
【請求項３】
太陽熱温水器と、前記太陽熱温水器から供給される予熱温水を加熱する給湯器と、前記太陽熱温水器での予熱により前記給湯器によって前記予熱温水を加熱する際に削減できた燃料費を算出する削減燃料費算出装置と、を有する太陽熱給湯システムにおいて、
前記削減燃料費算出装置が、請求項１又は２のいずれか一項に記載の削減燃料費算出装置であることを特徴とする太陽熱給湯システム。
【発明の詳細な説明】
【技術分野】
【０００１】
本発明は、太陽熱給湯システムで用いられる、太陽熱の利用により削減できた燃料費を算出する削減燃料費算出装置、及び、該削減燃料費算出装置を有する太陽熱給湯システムに関するものである。
【背景技術】
【０００２】
地球温暖化の影響の健在化などを背景に、その要因の一つとして考えられている二酸化炭素の排出量削減が求められている。特に、近年の住宅におけるエネルギー消費量の増加に伴い、住宅から排出される二酸化炭素量が増加傾向にあり、このような住宅から排出される二酸化炭素の削減が急務の課題となっている。
【０００３】
二酸化炭素の排出量を削減するためには、化石燃料に代えて、利用に際して二酸化炭素を排出しないエネルギーの利用を促進する必要がある。そして、このような二酸化炭素を排出しないエネルギーとして、住宅での利用が比較的容易である太陽光や太陽熱などの太陽エネルギーが注目されており、太陽エネルギーを利用した機器の導入の推進が検討されている。
【０００４】
このような太陽エネルギーを利用する機器として、例えば、太陽熱温水器が特許文献１に提案されている。図８に示す太陽熱温水器７００では、太陽集熱器７０１で温められた温水（即ち、予熱温水）がポンプ７０４で循環され、蓄熱槽７０２内部の貯湯槽７０３に蓄えられる。出湯配管７０６に接続された水栓器具７０８を開くと、給水配管７０５から水（冷水）が水圧で供給され、同量の温水が貯湯槽７０３から出湯配管７０６を経由して出湯される。この太陽熱温水器７００は、給水配管７０５に給水温度センサ７１５を取り付け、出湯配管７０６に出湯温度センサ７１６と流量センサ７１７とを取り付け、これらが積算熱量計本体７１０に接続されている。そして、各センサの検出値に基づいて、太陽熱により得ることのできた熱量、即ち、太陽熱の利用により削減できた熱量を算出し、この熱量から、本来上記温水を得るために必要とされる燃料費、即ち、太陽熱の利用により削減できた燃料費を表示していた。このように太陽熱の利用により削減できた燃料費を表示することで、使用者を節約に励むように仕向けることができ、二酸化炭素排出量の削減に貢献することができた。
【０００５】
また、このような太陽熱を利用した機器において、太陽熱の利用により削減できた燃料費とともに燃料費の削減目標値を表示する構成が考えられる。このような構成にすることで、使用者は目標達成の喜びを得ることができ、そのため、使用者を一層節約に励むように仕向けることができた。
【先行技術文献】
【特許文献】
【０００６】
【特許文献１】実用新案登録第３１４０７４７号
【発明の概要】
【発明が解決しようとする課題】
【０００７】
しかしながら、上述した構成においては、太陽熱の利用により削減できた燃料費と削減目標値とが、共に数値で表示されるので、使用者が目標を達成したか又はどの程度目標に近づいているかが直感的に把握できない、つまり、太陽熱の利用により削減できた燃料費が、削減目標値に対してどの程度達成できたのかがわかりにくいという問題が一例として挙げられる。
【０００８】
また、上述した構成においては、燃料費の削減目標値を、例えば、一日、一ヶ月間、及び、一年間などの互いに異なる複数の使用期間毎に設定できる構成とした場合、使用者が、一ヶ月間の燃料費の削減目標値を基に、一日及び一年間の燃料費の削減目標値を計算して、それらを個別に入力する必要があるので、削減目標値の設定において使用者に煩雑な作業を強いてしまうという問題が他の一例として挙げられる。
【０００９】
そこで、本発明は、上述した、太陽熱の利用により削減できた燃料費が、削減目標値に対してどの程度達成できたのかがわかりにくいという問題を解決することを目的とする。即ち、太陽熱の利用により削減できた燃料費が、削減目標値に対してどの程度達成できたかを直感的に把握することができる削減燃料費算出装置及び該削減燃料費算出装置を有する太陽熱給湯システムを提供することを目的とする。
【課題を解決するための手段】
【００１０】
請求項１に記載された発明は、上記目的を達成するために、図１の基本構成図に示すように、太陽熱温水器と、前記太陽熱温水器から供給される予熱温水を加熱する給湯器と、を有する太陽熱給湯システムで用いられて、前記太陽熱温水器での予熱により前記給湯器によって前記予熱温水を加熱する際に削減できた燃料費を算出する削減燃料費算出装置において、前記給湯器における所定の使用期間での燃料費の削減目標値が記憶された削減目標値記憶手段Ｍ１と、前記太陽熱温水器での予熱で得た熱量に基づいて、前記給湯器において前記使用期間に削減できた燃料費を算出する削減値算出手段Ｐ１と、前記削減値算出手段Ｐ１で算出された前記使用期間に削減できた燃料費についての、前記削減目標値記憶手段Ｍ１に記憶された前記使用期間での燃料費の削減目標値に対する、達成度合を算出する達成度合算出手段Ｐ２と、前記達成度合算出手段Ｐ２によって算出された前記達成度合に応じた表示意匠を表示する表示制御手段Ｐ３と、が設けられていることを特徴とする削減燃料費算出装置である。
【００１１】
請求項１に記載された発明によれば、例えば、一日、一週間、一ヶ月間、又は、一年間での燃料費の削減目標値が、削減目標値記憶手段Ｍ１に記憶されている。そして、太陽熱温水器から供給された予熱温水を給湯器において加熱する際に、太陽熱温水器での予熱で得た熱量から給湯器において前記使用期間に削減できた燃料費を、削減値算出手段Ｐ１によって算出し、この前記使用期間に削減できた燃料費についての、削減目標値記憶手段Ｍ１に記憶された前記使用期間での燃料費の削減目標値に対する、達成度合を達成度合算出手段Ｐ２によって算出して、この達成度合に応じた、形状、模様若しくは色彩又はこれらの結合（即ち、視認可能な図形等）からなる表示意匠を表示制御手段Ｐ３によって表示する。
【００１２】
請求項２に記載された発明は、請求項１に記載された発明において、図１の基本構成図に示すように、前記削減目標値記憶手段Ｍ１に記憶される前記使用期間での燃料費の削減目標値が入力される削減目標値入力手段Ｐ４と、前記削減目標値入力手段Ｐ４に入力された前記使用期間での燃料費の削減目標値に基づいて、前記使用期間とは異なる少なくとも１つの他の使用期間での燃料費の削減目標値を算出するとともに、前記使用期間での燃料費の削減目標値、及び、前記他の使用期間での燃料費の削減目標値を前記削減目標値記憶手段Ｍ１に記憶させる使用期間毎削減目標値算出手段Ｐ５を、さらに備え、前記削減値算出手段Ｐ１が、前記太陽熱温水器による予熱で得た熱量に基づいて、前記給湯器において前記使用期間に削減できた燃料費、及び、前記他の使用期間に削減できた燃料費を算出し、前記達成度合算出手段Ｐ２が、前記削減値算出手段Ｐ１で算出された前記使用期間に削減できた燃料費についての、前記削減目標値記憶手段Ｍ１に記憶された前記使用期間での燃料費の削減目標値に対する、達成度合、及び、前記削減値算出手段Ｐ１で算出された前記他の使用期間に削減できた燃料費についての、前記削減目標値記憶手段Ｍ１に記憶された前記他の使用期間での燃料費の削減目標値に対する、達成度合を算出するものである
ことを特徴とするものである。
【００１３】
請求項２に記載された発明によれば、削減目標値入力手段Ｐ４には、前記削減目標値記憶手段Ｍ１に記憶される前記使用期間での燃料費の削減目標値が入力され、そして、使用期間毎削減目標値算出手段Ｐ５によって、入力された前記使用期間での燃料費の削減目標値から前記使用期間とは異なる少なくとも１つの他の使用期間（例えば、前記使用期間を一ヶ月とすると、他の使用期間として、一日、又は、一日及び一年間とするなど）での燃料費の削減目標値を算出して、削減目標値記憶手段Ｍ１に記憶させる。そして、太陽熱温水器から供給された予熱温水を給湯器において加熱する際に、太陽熱温水器での予熱で得た熱量から給湯器において前記使用期間に削減できた燃料費、及び、前記他の使用期間に削減できた燃料費を、削減値算出手段Ｐ１によって算出し、この前記使用期間に削減できた燃料費についての、削減目標値記憶手段Ｍ１に記憶された前記使用期間での燃料費の削減目標値に対する、達成度合、及び、前記他の使用期間に削減できた燃料費についての、削減目標値記憶手段Ｍ１に記憶された前記他の使用期間での燃料費の削減目標値に対する、達成度合、を達成度合算出手段Ｐ２によって算出して、これら達成度合に応じた表示意匠を表示制御手段Ｐ３によって表示する。
【００１４】
請求項３に記載された発明は、上記目的を達成するために、太陽熱温水器と、前記太陽熱温水器から供給される予熱温水を加熱する給湯器と、前記太陽熱温水器での予熱により前記給湯器によって前記予熱温水を加熱する際に削減できた燃料費を算出する削減燃料費算出装置と、を有する太陽熱給湯システムにおいて、前記削減燃料費算出装置が、請求項１又は２のいずれか一項に記載の削減燃料費算出装置であることを特徴とする太陽熱給湯システムである。
【００１５】
請求項３に記載された発明によれば、削減燃料費算出装置５によって、太陽熱温水器から供給された予熱温水を給湯器において加熱する際に、太陽熱温水器での予熱で得た熱量から給湯器において前記使用期間に削減できた燃料費を、削減値算出手段Ｐ１によって算出し、この算出した前記使用期間に削減できた燃料費についての、削減目標値記憶手段Ｍ１に記憶された前記使用期間での燃料費の削減目標値に対する、達成度合を達成度合算出手段Ｐ２によって算出して、この達成度合に応じた表示意匠を表示制御手段Ｐ３によって表示する。
【発明の効果】
【００１６】
請求項１、３に記載された発明によれば、太陽熱温水器から供給された予熱温水を給湯器において加熱する際に、太陽熱温水器での予熱で得た熱量から給湯器において前記使用期間に削減できた燃料費を算出し、この算出した前記使用期間に削減できた燃料費についての、前記使用期間での燃料費の削減目標値に対する、達成度合を算出して、この達成度合に応じた、視認可能な図形等からなる表示意匠を表示するので、使用者は、この表示意匠を視認することによって、表示意匠に対応する達成度合を瞬時に把握することができ、そのため、太陽熱の利用により所定の使用期間において削減できた燃料費が、当該使用期間での燃料費の削減目標値に対してどの程度達成できたかを直感的に把握することができる。
【００１７】
請求項２に記載された発明によれば、前記使用期間での燃料費の削減目標値が入力されるとともに、この入力された削減目標値から前記使用期間とは異なる少なくとも１つの他の使用期間での燃料費の削減目標値を算出及び記憶して、太陽熱温水器から供給された予熱温水を給湯器において加熱する際に、太陽熱温水器での予熱で得た熱量から給湯器において前記使用期間に削減できた燃料費、及び、前記他の使用期間に削減できた燃料費を、算出し、この算出した前記使用期間に削減できた燃料費についての、前記使用期間での燃料費の削減目標値に対する、達成度合、及び、この算出した前記他の使用期間に削減できた燃料費についての、前記他の使用期間での燃料費の削減目標値に対する、達成度合、を算出するので、例えば、使用期間を一ヶ月間として、一ヶ月間の燃料費の削減目標値を入力すると、この一ヶ月間の燃料費の削減目標値から、一日の燃料費の削減目標値や一年間の燃料費の削減目標値などを算出して、これらの各使用期間に削減できた燃料費についての、各使用期間の燃料費の削減目標値に対する、達成度合を算出して、これら達成度合に応じた表示意匠を表示できる。そのため、例えば、使用者において、一ヶ月間の燃料費の削減目標値から、一日及び一年間の燃料費の削減目標値を計算及び入力するとなると、使用者に煩雑な設定作業を強いることになり、また、計算及び入力に伴うミスが生じるおそれがあるが、本発明によれば、削減目標値の設定作業を簡素化して、１つの所定の使用期間における燃料費の削減目標値を入力することで、他の使用期間における燃料費の削減目標値についても設定されるので、使用者における煩雑な設定作業を回避でき、また、計算及び入力に伴うミスを解消できる。
【図面の簡単な説明】
【００１８】
【図１】本発明の給湯器の基本構成を示す図である。
【図２】本発明の太陽熱給湯システムの一実施形態の概略構成例を示す図である。
【図３】図２の太陽熱給湯システムが備える削減燃料費算出装置の概略構成例を示す図である。
【図４】図３の削減燃料費算出装置が備えるＣＰＵが行う本発明に係る処理の一例を示すフローチャートである。
【図５】図２の給湯器が備える宅内表示盤の表示部に表示される表示意匠の一例を示す図である。
【図６】宅内表示盤における削減目標値に対する達成度合に応じた表示例（月間表示）を説明する図であって、（ａ）は、目標まで３分の２程度に満たない（６０％未満）ことを示す「困惑顔」の顔マークを表示している状態を示し、（ｂ）は、目標まで３分の２程度達成（６０％以上）したことを示す「無表情顔」の顔マークを表示している状態を示し、（ｃ）は、ほぼ目標達成した（９０％達成）ことを示す「笑顔」の顔マークを表示している状態を示す。
【図７】宅内表示盤における各種削減目標値に対する達成度合に応じた表示例を説明する図であって、（ａ）は、年間削減目標値に対する達成度合に応じた顔マークを表示している状態（年間表示）を示し、（ｂ）は、月間削減目標値に対する達成度合に応じた顔マークを表示している状態（月間表示）を示し、（ｃ）は、日間削減目標値に対する達成度合に応じた顔マークを表示している状態（日間表示）を示す。
【図８】従来の太陽熱温水器の概略構成を示す図である。
【発明を実施するための形態】
【００１９】
以下、本発明に係る削減燃料費算出装置及び太陽熱給湯システムの一実施の形態を、図２〜図７の図面を参照して説明する。
【００２０】
図２において、太陽熱給湯システム１は、太陽熱温水器２と、混合手段３と、給湯器４と、削減燃料費算出装置５と、冷水温度センサ６と、温水温度センサ７と、流量センサ８と、を備えている。
【００２１】
給水源としての水道管１１は、台所、洗面所、風呂、トイレ、等の住宅用水道器具の各々に給水している。また、水道管１１は、それから分岐した冷水管１２を介して太陽熱給湯システム１にも給水している。この冷水管１２は、太陽熱温水器２と水道管１１とを互いに接続しており、水道管１１から供給された水（以下、「冷水」という）を太陽熱温水器２に流している。冷水管１２における水道管１１と太陽熱温水器２との間の部分には、冷水温度センサ６が設けられている。
【００２２】
太陽熱温水器２は、日当たりの良い住宅等の屋根などに設置されて、太陽熱によって水道管１１から供給される冷水を温める集熱器２１と、該集熱器２１でこの冷水が温められることにより生成された温水（以下、「予熱温水」という）が蓄えられる貯湯槽２２と、を有している。集熱器２１には、貯湯槽２２を介して冷水管１２が接続されており、この冷水管１２を通じて水道管１１から冷水が供給される。また、集熱器２１には、冷水管１２とは別の配管１３を介して貯湯槽２２が接続されている。この配管１３は、集熱器２１で生成された予熱温水を貯湯槽２２に流しており、これにより該予熱温水が貯湯槽２２に蓄えられる。また、貯湯槽２２は、温水管１４を介して下流側の混合手段３と接続されており、混合手段３に予熱温水を流している。温水管１４には、下流側に向かって温水温度センサ７と流量センサ８とが設けられている。
【００２３】
なお、本実施形態においては、集熱器２１と貯湯槽２２とを分離して設置する場合について説明するが、これに代えて、周知である集熱器と貯湯槽とが一体の自然循環式太陽熱温水器や、集熱器と貯湯槽との間で熱交換媒体をポンプで強制的に循環させて貯湯槽内の水を温める強制循環式太陽熱温水器、等を用いることもできる。
【００２４】
混合手段３は、２つの入水口と１つの出水口とを備え、各入水口から流入された水を互いに混合して出水口から流出する、混合弁である。混合手段３は、例えば、出水口から流出される水の温度が予め設定された所定の温度となるように、２つの入水口にそれぞれ流入される水の混合割合を自動的に調整する感温ばねを備えてなる周知の自動温度調節機能付（サーモスタット式）湯水混合弁である。
【００２５】
混合手段３は、２つの水入口として冷水入口３１と温水入口３２とを備え、１つの出水口として混合水出口３３を備えている。冷水入口３１には冷水管１２を介して水道管１１が接続されている。温水入口３２には温水管１４を介して太陽熱温水器２の貯湯槽２２が接続されている。混合水出口３３には、混合水管１５を介して給湯器４が接続されている。
【００２６】
混合手段３は、冷水入口３１に水道管１１からの冷水が流入され、温水入口３２に太陽熱温水器２の貯湯槽２２からの予熱温水が流入され、そして、予熱温水の温度に応じて上述した感温ばねが変形することにより、所定の温度となるように所定の割合で冷水と予熱温水とを混合した水（以下、「混合水」という）が、混合水出口３３から流出される。
【００２７】
そして、本実施形態では、混合手段３は貯湯槽２２からの予熱温水が、予め定められた設定温度（例えば３０℃）より高い場合は弁を開いて冷水管１２からの冷水と混合する。
【００２８】
給湯器４は、例えば、ガスバーナと熱交換器とを備えており、利用者等によって定められた所望の温度に加熱された湯（以下、「加熱水」という）を生成する周知のガス給湯器である。給湯器４は、住宅に設けられた給湯器用リモコン等と接続されており、給湯器用リモコン等から受信する制御信号に基づいて、例えば、電源オン、電源オフ、及び、生成する湯の温度が設定される。
【００２９】
給湯器４は、入水口４１と出水口４２とを備えている。入水口４１には、混合水管１５を介して混合手段３の混合水出口３３が接続されて、混合水が流入される。出水口４２には、加熱水管１６が接続されて、該加熱水管１６を介して住宅の浴槽、シャワーなどに加熱水を供給（即ち、給湯）する。給湯器４は、太陽熱温水器２から供給される混合水（即ち、予熱温水、又は、予熱温水と冷水とが混合された水）を所望の温度に加熱する。
【００３０】
なお、本実施形態においては、給湯器４としてガス給湯器を用いる場合について説明するが、本発明はこれに限定されるものではなく、例えば、電気によって混合水を加熱する電気給湯器など、他の方式の給湯器を用いても良い。
【００３１】
削減燃料費算出装置５は、図３に示すように、予め定められたプログラムに従って動作するマイクロコンピュータ（ＭＰＵ）５１を有している。ＭＰＵ５１は、周知のように、予め定めたプログラムに従って各種の処理や制御などを行う中央演算処理装置（ＣＰＵ）５１ａと、ＣＰＵ５１ａのためのプログラム等を格納した読み出し専用のメモリであるＲＯＭ５１ｂと、各種のデータを格納するとともにＣＰＵ５１ａの処理作業に必要なエリアを有する読み出し書き込み自在のメモリであるＲＡＭ５１ｃと、を備えている。
【００３２】
ＲＯＭ５１ｂは、図１に示す請求項中の削減値算出手段Ｐ１、達成度合算出手段Ｐ２、表示制御手段Ｐ３、削減目標値入力手段Ｐ４、及び、使用期間毎削減目標値算出手段Ｐ５、等の各種手段としてＣＰＵ５１ａを機能させるための各種プログラムを記憶している。そして、ＣＰＵ５１ａは、そのプログラムを実行することで、上記各種手段として機能する。
【００３３】
削減燃料費算出装置５はさらに、メモリ部５２と、宅内表示盤８０と、インタフェース部５４と、を有しており、各々はＭＰＵ５１と電気的に接続されている。
【００３４】
メモリ部５２は、電力供給が断たれた場合でも、格納された各種データの保持が可能な記録媒体であり、ＣＰＵ５１ａの処理作業に必要な各種格納エリアを有する電気的消去／書き換え可能なメモリ（ＥＥＰＲＯＭ）等が用いられる。メモリ部５２は、例えば、一日のガス使用料金の削減目標値である日間削減目標値Ｍｄ、一ヶ月間のガス使用料金の削減目標値である月間削減目標値Ｍｍ、一年間のガス使用料金の削減目標値である年間削減目標値Ｍｙなどが記憶される。つまり、メモリ部５２は、請求項中の削減目標値記憶手段Ｍ１に相当する。なお、例えば、ＭＰＵ５１に常に電源が供給されているような構成であれば、ＲＡＭ５１ｃにこれら各使用期間におけるガス使用料金の削減目標値を記憶させてもよい。
【００３５】
宅内表示盤８０は、液晶表示装置や発光ダイオード表示装置などを用いた表示部８１と、各種操作が入力される操作部８２と、を備えており、住宅等の屋内などの削減燃料費算出装置５本体から離れた箇所に配設されている。宅内表示盤８０は、ケーブル８３を介してＭＰＵ５１と接続されている。または、宅内表示盤８０は、ケーブル８３に代えて、無線によってＭＰＵ５１と接続されていても良い。なお、本実施形態では、宅内表示盤８０が削減燃料費算出装置５本体から分離された場合について説明するが、屋外に設置された削減燃料費算出装置５のみの実施形態とすることもできる。
【００３６】
表示部８１は、ＭＰＵ５１から、例えば、太陽熱の利用により一日、一ヶ月間、及び、一年間の各使用期間において削減できた熱量、ガス使用料金、及び、二酸化炭素排出量などの各種情報を示す情報信号を受信して、該情報信号が示す各種情報を表示する。さらに、表示部８１は、各使用期間において削減できたガス使用料金について、各使用期間でのガス使用料金の削減目標値に対する達成度合を示す情報信号を受信して、該情報信号が示す達成度合に応じた顔マークＫを表示する。つまり、表示部８１に表示される顔マークＫ（表示意匠）が、達成度合に応じて互いに異なる人の表情を模した形状であることを特徴とする。
【００３７】
操作部８２は、各種操作を入力する複数のボタンを備えており、例えば、削減燃料費算出装置５の電源オン、電源オフ、一ヶ月間のガス使用料金の削減目標値（月間削減目標値Ｍｍ）の設定、表示部８１への各種情報の表示要求、などの操作が入力されると、これら操作に応じた操作信号をＭＰＵ５１に送信する。操作部８２は、例えば、ガス使用料金の月間削減目標値Ｍｍの設定の操作に応じた操作信号をＭＰＵ５１に送信する。そして、ＭＰＵ５１（即ち、ＣＰＵ５１ａ）は、この操作信号を受信すると、メモリ部５２に記憶されている月間削減目標値Ｍｍ、日間削減目標値Ｍｄ、及び、年間削減目標値Ｍｙの設定（更新）、などを行う。
【００３８】
インタフェース部５４は、図２中の冷水温度センサ６、温水温度センサ７、流量センサ８、等の電子機器が電気的に接続されており、各電子機器とＭＰＵ５１との交信を可能としている。
【００３９】
冷水温度センサ６は、例えば、周知のサーミスタ式温度センサであり、その先端に設けられた検温部が、冷水管１２を流れる冷水に触れるように、冷水管１２の周壁等に設けられている。冷水温度センサ６は、冷水管１２を流れる冷水の温度を検出し、この検出した温度に応じた信号を削減燃料費算出装置５に出力する。そして、削減燃料費算出装置５のＣＰＵ５１ａは、その入力された信号に基づいて、水道管１１から太陽熱温水器２に供給される冷水の温度を検出する。
【００４０】
温水温度センサ７は、冷水温度センサ６と同一のサーミスタ式温度センサであり、その先端に設けられた検温部が、温水管１４を流れる予熱温水に触れるように、温水管１４の周壁等に設けられている。温水温度センサ７は、温水管１４を流れる予熱温水の温度を検出し、この検出した温度に応じた信号を削減燃料費算出装置５に出力する。そして、削減燃料費算出装置５のＣＰＵ５１ａは、その入力された信号に基づいて、太陽熱温水器２から給湯器４に供給される予熱温水の温度を検出する。
【００４１】
なお、上述した冷水温度センサ６、温水温度センサ７として、サーミスタ式温度センサに代えて、水の温度検出に適した各種温度センサ、例えば、熱電対式温度センサなどを用いることもできる。
【００４２】
流量センサ８は、例えば、周知の羽根車式流量センサを用いており、温水管１４に設けられている。流量センサ８は、温水管１４を流れる予熱温水の流量を検出し、この検出した流量に応じた信号を削減燃料費算出装置５に出力する。そして、削減燃料費算出装置５のＣＰＵ５１ａは、その入力された信号に基づいて、太陽熱温水器２と給湯器４との間を流れる予熱温水の流量を検出する。なお、流量センサ８として、羽根車式流量センサに代えて、水の流量検出に適した各種流量センサ、例えば、超音波式流量センサ、フローセンサ式流量センサ、電磁式流量センサなどを用いることもできる。
【００４３】
次に、上述した削減燃料費算出装置５のＣＰＵ５１ａが実行する本発明にかかる削減燃料費算出処理の一例を、図４に示すフローチャートを参照して以下に説明する。
【００４４】
宅内表示盤８０の操作部８２に電源オンを要求する操作が入力されると、削減燃料費算出装置５に電源が投入されて、各種初期化処理などが実行されたのち、ＣＰＵ５１ａはステップＳ１００に処理を進める。
【００４５】
ＣＰＵ５１ａは、ステップＳ１００において、月間削減目標値Ｍｍの入力に応じて各使用期間における削減目標値を算出し、メモリ部５２に記憶させる（即ち、設定する）。メモリ部５２には、ガス使用料金の日間削減目標値Ｍｄ、月間削減目標値Ｍｍ、及び、年間削減目標値Ｍｙが、予め記憶されている。そして、ＣＰＵ５１ａは、宅内表示盤８０の操作部８２に入力された新たな月間削減目標値Ｍｍ（例えば、６１００円）を設定（更新）する削減目標値設定操作に応じた操作信号を受信したとき、この新たな月間削減目標値Ｍｍを３０．５で除した値を新たな日間削減目標値Ｍｄ（例えば、２００円）として算出し、この新たな月間削減目標値Ｍｍを１２で乗じた値を新たな年間削減目標値Ｍｙ（例えば、７３２００円）として算出し、そして、これら新たな月間削減目標値Ｍｍ、日間削減目標値Ｍｄ、及び、年間削減目標値Ｍｙをメモリ部５２に格納（記憶）する。また、上記削減目標値設定操作に応じた操作信号を受信しないとき、本ステップにおいて何ら処理を行わない。そして、ステップＳ１１０に進む。
【００４６】
ＣＰＵ５１ａは、ステップＳ１１０において、冷水温度センサ６が出力した信号に基づき冷水の温度を検出し、温水温度センサ７が出力した信号に基づき予熱温水の温度を検出し、流量センサ８が出力した信号に基づき予熱温水の流量を検出する。そして、ＣＰＵ５１ａは、冷水の温度をＴｃ［℃］、温水の温度をＴｍ［℃］、温水の流量をＦ［Ｌ］、熱量換算計数をＣ、とすると次の式、
Ｑ＝（Ｔｍ−Ｔｃ）×Ｆ×Ｃ／１０００［ＭＪ］・・・（１）
によって、予め定められた単位時間（例えば、１分）毎に、太陽熱温水器２により得た熱量Ｑ、即ち、給湯に際し、太陽熱温水器２により給湯器４において単位時間に削減できた熱量Ｑを算出する。そして、この単位時間毎の熱量Ｑを一日単位、一ヶ月単位、及び、一年単位で積算して、日間削減熱量Ｑｄ、月間削減熱量Ｑｍ、及び、年間削減熱量Ｑｙを算出する。
【００４７】
本実施形態において、流量Ｆは、水１［Ｌ］＝１［ｋｇ］としている。また、熱量換算計数Ｃとは、水の比熱を示しており、Ｃ＝１［ｋｃａｌ／ｋｇ  ℃］＝４．１８６０５［ｋＪ／ｋｇ  Ｋ］としている。上記単位時間は、給湯器４の構成や使用形態（頻度）などに応じて適宜定められる。流量Ｆについては、単位時間当たりの積算流量を用いており、冷水の温度をＴｃ及び温水の温度をＴｍについては、単位時間における平均温度を用いており、そして、これらに基づいて単位時間毎に熱量Ｑを算出している。
【００４８】
また、熱量Ｑの算出契機について、ＣＰＵ５１ａは、常時、単位時間毎に熱量Ｑを算出するものであるが、これに限定されるものではなく、例えば、給湯器４による給湯に伴って該予熱温水が流動しているときのみ、即ち、流量センサ８によって検出された流量が０で無いときのみ、上記単位時間毎に熱量Ｑを算出するようにしてもよい。このようにすることで、ＣＰＵ５１ａの処理負荷を軽減できる。
【００４９】
なお、（１）式から明らかなように、熱量Ｑは、冷水管１２を介して水道管１１から供給される温度Ｔｃの冷水が太陽熱温水器２によって温められる（予熱される）ことにより、体積（流量）Ｆで温度Ｔｍの予熱温水を得たものとして算出される。つまり、熱量Ｑは、太陽熱温水器２による予熱で得た熱量であり、換言すると、太陽熱の利用により削減できた熱量でもある。そして、この熱量Ｑに基づいて算出される、下記のガス使用料金Ｙについても、太陽熱に利用により削減できたガス使用料金（即ち、燃料費）となる。
【００５０】
そして、ＣＰＵ５１ａは、ステップＳ１２０において、燃料ガスの単位使用体積当たりの総発熱量をＨ［ＭＪ／Ｎｍ3］とすると、次の式、
Ｖ＝Ｑ／Ｈ［Ｎｍ3］・・・（２）
によって、太陽熱温水器２により給湯器４において単位時間に削減できた燃料ガスの使用体積Ｖを算出する。そして、この単位時間毎の削減できた使用体積Ｖを一日単位、一ヶ月単位、及び、一年単位で積算して、日間削減使用体積Ｖｄ、月間削減使用体積Ｖｍ、及び、年間削減使用体積Ｖｙを算出する。
【００５１】
なお、本実施形態においては、一例として、都市ガスの単位使用体積当たりの総発熱量Ｈ１＝４６．０８［ＭＪ／Ｎｍ3］としており、プロパンガスの単位使用体積当たりの総発熱量Ｈ２＝１０１．３８［ＭＪ／Ｎｍ3］としている。
【００５２】
そして、ＣＰＵ５１ａは、ステップＳ１３０において、燃料ガスの単位使用体積当たりのガス使用料金をＢ［円／Ｎｍ3］とすると、次の式、
Ｙ＝Ｖ×Ｂ［円］・・・（３）
によって、太陽熱温水器２により給湯器４において単位時間に削減できたガス使用料金Ｙを算出する。そして、この単位時間毎のガス使用料金Ｙを一日単位、一ヶ月単位、及び、一年単位で積算して、日間削減ガス使用料金Ｙｄ、月間削減ガス使用料金Ｙｍ、及び、年間削減ガス使用料金Ｙｙを算出する。
【００５３】
なお、本実施形態においては、一例として、都市ガスの単位使用体積当たりのガス使用料金Ｂ１＝１５３［円／Ｎｍ3］としており、プロパンガスの単位使用体積当たりのガス使用料金Ｂ２＝３８５［円／Ｎｍ3］としている。また、ガス使用料金は、請求項中の燃料費に相当する。
【００５４】
そして、ＣＰＵ５１ａは、ステップＳ１４０において、燃料ガスの単位使用体積当たりの二酸化炭素排出量をＥ［ｋｇＣＯ2／Ｎｍ3］、給湯器４における燃料ガスの燃焼効率をｋとすると、次の式、
Ｘ＝Ｖ×Ｅ×ｋ［ｋｇＣＯ2］・・・（４）
によって、太陽熱温水器２により給湯器４において単位時間に削減できた二酸化炭素排出量Ｘを算出する。そして、この単位時間毎の二酸化炭素排出量Ｘを一日単位、一ヶ月単位、及び、一年単位で積算して、日間削減二酸化炭素排出量Ｘｄ、月間削減二酸化炭素排出量Ｘｍ、及び、年間削減二酸化炭素排出量Ｘｙを算出する。
【００５５】
なお、本実施形態においては、一例として、都市ガスの単位使用体積当たりの二酸化炭素排出量Ｅ１＝２．３５５［ｋｇＣＯ2／Ｎｍ3］としており、プロパンガスの単位使用体積あたりの二酸化炭素排出量Ｅ２＝５．８９３［ｋｇＣＯ2／Ｎｍ3］としている。また、給湯器４におけるガスの燃焼効率ｋ＝８０％（一般型ガス給湯器）〜９５％（高効率型ガス給湯器）としている。
【００５６】
そして、ＣＰＵ５１ａは、ステップＳ１５０において、メモリ部５２に記憶されているガス使用料金の月間削減目標値をＭｍ［円］とすると、次の式、
Ｍｍ／Ｙｍ＜０．６のとき、Ｌｍ＝１
０．６≦Ｍｍ／Ｙｍ＜０．９のとき、Ｌｍ＝２
０．９≦Ｍｍ／Ｙｍのとき、Ｌｍ＝３  ・・・・・・（５）
によって、月間削減ガス使用料金Ｙｍについての月間削減目標値Ｍｍに対する達成度合Ｌｍを算出する。
【００５７】
つまり、月間削減ガス使用料金Ｙｍが、月間削減目標値Ｍｍの６０％に満たないときは、達成度合Ｌｍが１となり、６０％以上で且つ９０％未満のときは、達成度合Ｌｍが２となり、９０％以上のときは達成度合Ｌｍが３となる。
【００５８】
また、（５）式と同様にして、日間削減ガス使用料金Ｙｄについての日間削減目標値Ｍｄに対する達成度合Ｌｄ、及び、年間削減ガス使用料金Ｙｙについての年間削減目標値Ｍｙに対する達成度合Ｌｙを算出する。
【００５９】
そして、ＣＰＵ５１ａは、ステップＳ１６０において、宅内表示盤８０に入力された各種情報の表示要求の操作に応じた操作信号の受信に応じて、又は、給湯器４による加熱時にリアルタイムで、上記日間削減熱量Ｑｄと、日間削減ガス使用料金Ｙｄと、日間削減二酸化炭素排出量Ｘｄと、月間削減熱量Ｑｍと、月間削減ガス使用料金Ｙｍと、月間削減二酸化炭素排出量Ｘｍと、年間削減熱量Ｑｙと、年間削減ガス使用料金Ｙｙと、年間削減二酸化炭素排出量Ｘｙと、を示す情報信号を宅内表示盤８０に出力する。そして、宅内表示盤８０は、これら情報信号を受信すると、表示部８１に、これら情報信号が示す各種情報を表示する。
【００６０】
また、宅内表示盤８０は、達成度合Ｌ（達成度合Ｌｄ、達成度合Ｌｍ、達成度合Ｌｙ）を示す情報信号を受信すると、図５に示すような、この情報信号が示す達成度合Ｌに応じた顔マークＫ（Ｋ１〜Ｋ３）を表示する。
【００６１】
具体的には、達成度合Ｌが１のとき「困惑顔」の顔マークＫ１を表示し、達成度合Ｌが２のとき「無表情顔」の顔マークＫ２を表示し、達成度合Ｌが３のとき「笑顔」の顔マークＫ３を表示する。図５において、説明のために顔マークＫ１〜Ｋ３を同時に表示しているが、実際には、それぞれ排他的に表示する。また、これら顔マークＫは、削減ガス使用料金Ｙ（日間削減ガス使用料金Ｙｄ、月間削減ガス使用料金Ｙｍ、年間削減ガス使用料金Ｙｙ）と同時に表示される。
【００６２】
そして、宅内表示盤８０の操作部８２に電源オフを要求する操作が入力されて、電源が落とされるまで、上記各処理を繰り返す。なお、上述した（１）式〜（５）式、及び、各定数は、削減燃料費算出装置５に予め記憶されている。
【００６３】
上述したステップＳ１００が、請求項中の削減目標値入力手段Ｐ４及び使用期間毎削減目標値算出手段Ｐ５に相当し、ステップＳ１３０が、請求項中の削減値算出手段Ｐ１に相当し、ステップＳ１５０が、請求項中の達成度合算出手段Ｐ２に相当し、ステップＳ１６０が、請求項中の表示制御手段Ｐ３に相当する。
【００６４】
次に、太陽熱温水器２により給湯器４において単位時間に削減できた熱量Ｑ、ガス使用体積Ｖ、ガス使用料金Ｙ、二酸化炭素排出量Ｘの算出例を示す。例えば、給湯器４が都市ガスを燃料ガスとする一般型ガス給湯器であり、ある時刻から１分間（単位時間）の冷水の温度（平均値）がＴｃ＝２０［℃］、温水の温度（平均値）がＴｍ＝４０［℃］、温水の流量（積算流量）がＦ＝５０［Ｌ］、であり、また、給湯器４における都市ガスの燃焼効率をｋ＝８０％とすると、これら熱量Ｑ、ガス使用体積Ｖ、ガス使用料金Ｙ、及び、二酸化炭素排出量Ｘは、
熱量Ｑ＝（４０−２０）×５０×４．１８６０５／１０００＝４．１８６０５［ＭＪ］
ガス使用体積Ｖ＝４．１８６０５／４６．０８＝０．０９０８［Ｎｍ3］
ガス使用料金Ｙ＝０．０９０８×１５３＝１３．８９［円］
二酸化炭素排出量Ｘ＝０．０９０８×２．３５５×０．８０＝０．１７１［ｋｇ］
となる。そして、これら各値は一日単位、一ヶ月単位、及び、一年単位の各使用期間毎に積算されて、各使用期間において削減できた熱量、ガス使用体積、ガス使用料金、及び、二酸化炭素排出量が算出されて、メモリ部５２に記憶される。
【００６５】
また、削減燃料費算出装置５は、上述した（２）式〜（４）式を用いる代わりに、（Ａ）熱量とガス使用体積との関係を示す、熱量−ガス使用体積換算テーブルと、（Ｂ）ガス使用体積とガス使用料金との関係を示す、ガス使用体積−ガス使用料金換算テーブルと、（Ｃ）ガス使用体積と二酸化炭素排出量との関係を示す、ガス使用体積−二酸化炭素排出量換算テーブル、を記憶しておき、これらテーブルを用いて、削減できたガス使用料金Ｙ及び二酸化炭素排出量Ｘを求めてもよい。この場合、ＣＰＵ５１ａは、（ｉ）上記（１）式を用いて算出した熱量を、上述した熱量−ガス使用体積換算テーブルに当てはめて、該熱量に対するガス使用体積Ｖを求め、（ｉｉ）このガス使用体積Ｖを、上述したガス使用体積−料金換算テーブルに当てはめて、削減できたガス使用料金Ｙを求め、また、（ｉｉｉ）上記ガス使用体積Ｖを、ガス使用体積−二酸化炭素排出量換算テーブルに当てはめて、削減できた二酸化炭素排出量Ｘを求める。
【００６６】
次に、上述した太陽熱給湯システム１での本発明に係る動作（作用）の一例について、図６、図７を参照して説明する。
【００６７】
まず、宅内表示盤８０の操作部８２に電源オン操作が入力されることにより削減燃料費算出装置５が電源オンされる。削減燃料費算出装置５は、冷水温度センサ６で検出された冷水の温度、温水温度センサ７で検出された温水の温度、及び、流量センサ８で検出された温水の流量、に基づいて、太陽熱温水器２により給湯器４において当該日間、月間、及び、年間に削減できた熱量（日間削減熱量Ｑｄ、月間削減熱量Ｑｍ、年間削減熱量Ｑｙ）、ガス使用料金（日間削減ガス使用料金Ｙｄ、月間削減ガス使用料金Ｙｍ、年間削減ガス使用料金Ｙｙ）、及び、二酸化炭素排出量（日間削減二酸化炭素排出量Ｘｄ、月間削減二酸化炭素排出量Ｘｍ、年間削減二酸化炭素排出量Ｘｙ）を算出して（Ｓ１１０〜Ｓ１４０）、所定のタイミングで宅内表示盤８０の表示部８１に、これら各算出値を表示する（Ｓ１６０）。
【００６８】
さらに、日間削減ガス使用料金Ｙｄについての日間削減目標値Ｍｄに対する達成度合Ｌｄ、月間削減ガス使用料金Ｙｍについての月間削減目標値Ｍｍに対する達成度合Ｌｍ、及び、年間削減ガス使用料金Ｙｙについての年間削減目標値Ｍｙに対する達成度合Ｌｙ、をそれぞれ算出するとともに（Ｓ１５０）、上記日間削減ガス使用料金Ｙｄ、月間削減ガス使用料金Ｙｍ、及び、年間削減ガス使用料金Ｙｙと同じ表示タイミングで、達成度合Ｌｄ、達成度合Ｌｍ、及び、達成度合Ｌｙに応じた顔マークＫを、宅内表示盤の表示部８１に表示する（Ｓ１６０）。
【００６９】
また、操作部８２に、例えば、月間削減目標値Ｍｍとして６１００［円］を設定する操作が入力されると、日間削減目標値Ｍｄとして２００［円］（＝６１００／３０．５）が設定され、年間削減目標値Ｍｙとして７３２００［円］（＝６１００×１２）が設定される（Ｓ１００）。
【００７０】
月間削減ガス使用料金Ｙｍの表示に伴い、月間削減ガス使用料金Ｙｍが５００［円］のとき、達成度合Ｌｍが１となって「困惑顔」の顔マークＫ１が表示され（図６（ａ））、月間削減ガス使用料金Ｙｍが４５００［円］になると、達成度合Ｌｍが２となって「無表情顔」の顔マークＫ２が表示され（図６（ｂ））、月間削減ガス使用料金Ｙｍが６０００［円］になると、達成度合Ｌｍが３となって「笑顔」の顔マークＫ３が表示される（図６（ｃ））。
【００７１】
また、年間削減ガス使用料金Ｙｙの表示に伴い、年間削減ガス使用料金Ｙｙが２００００［円］のとき、達成度合Ｌｙが１となって「困惑顔」の顔マークＫ１が表示される（図７（ａ））。また、月間削減ガス使用料金Ｙｍの表示に伴い、月間削減ガス使用料金Ｙｍが５０００［円］のとき、達成度合Ｌｍが２となって「無表情顔」の顔マークＫ２が表示される（図７（ｂ））。また、日間削減ガス使用料金Ｙｄの表示に伴い、日間削減ガス使用料金Ｙｄが３００［円］のとき、達成度合Ｌｄが３となって「笑顔」の顔マークＫ３が表示される（図７（ｃ））。
【００７２】
以上より、本発明によれば、太陽熱温水器２から供給された予熱温水を給湯器４において加熱する際に、太陽熱温水器２での予熱で得た熱量から給湯器４において、例えば、一日、一ヶ月間、一年間など所定の使用期間に削減できたガス使用料金を算出し、この算出した前記使用期間に削減できたガス使用料金についての、前記使用期間でのガス使用料金の削減目標値に対する、達成度合を算出して、この達成度合に応じた顔マークＫを表示するので、使用者は、この顔マークＫを視認することによって、顔マークＫに対応する達成度合を瞬時に把握することができ、そのため、太陽熱の利用により所定の使用期間において削減できたガス使用料金が、当該使用期間でのガス使用料金の削減目標値に対してどの程度達成できたかを直感的に把握することができる。
【００７３】
また、一ヶ月間のガス使用料金の削減目標値である月間削減目標値Ｍｍが入力されるとともに、この入力された月間削減目標値Ｍｍから、一日のガス使用料金の削減目標値である日間削減目標値Ｍｄ、及び、一年間のガス使用料金の削減目標値である年間削減目標値Ｍｙを算出及び記憶して、太陽熱温水器２から供給された予熱温水を給湯器４において加熱する際に、太陽熱温水器２での予熱で得た熱量から給湯器４において各使用期間（一日、一ヶ月間、一年間）のそれぞれについて削減できたガス使用料金算出し、これら各使用期間に削減できたガス使用料金についての、各使用期間でのガス使用料金の削減目標値に対する、達成度合を算出するので、所定の使用期間を一ヶ月間として、一ヶ月間のガス使用料金の削減目標値を入力すると、この一ヶ月間のガス使用料金の削減目標値から、一日のガス使用料金の削減目標値及び一年間のガス使用料金の削減目標値を算出して、これらの各使用期間に削減できたガス使用料金についての、各使用期間のガス使用料金の削減目標値に対する、達成度合を算出して、これら達成度合に応じた表示意匠を表示できる。そのため、例えば、使用者において、一ヶ月間のガス使用料金の削減目標値から、一日及び一年間のガス使用料金の削減目標値を計算して入力するとなると、使用者に煩雑な設定作業を強いることになり、また、計算及び入力に伴うミスが生じるおそれがあるが、本発明によれば、削減目標値の入力作業を簡素化して、一ヶ月間におけるガス使用料金の削減目標値を入力することで、一日及び一年間におけるガス使用料金の削減目標値についても設定されるので、使用者における煩雑な設定作業回避でき、また、計算及び入力に伴うミスを解消できる。
【００７４】
また、表示意匠として、達成度合Ｌに応じて互いに異なる人の表情を模した顔マークＫを用いているので、例えば、ほぼ目標達成したとき（９０％達成）は「笑顔」の顔マークＫ３、目標まで３分の２程度達成（６０％以上）したときは「無表情顔」の顔マークＫ２、目標まで３分の２程度に満たない（６０％未満）ときは「困惑顔」の顔マークＫ１とするなど、達成度合Ｌを人の表情として示すことでより直感的に把握することができる。
【００７５】
また、使用者にとって最も関心のあるガス使用料金の目標達成度合を示すことにより、一層節約に励むように仕向けることができる。
【００７６】
本実施形態においては、達成度合に応じて互いに異なる人の表情を模した顔マークＫを表示するものであったが、これに限定するものではなく、例えば、達成度合に応じて、○、△、×などの図形を表示するなど、使用者が達成度合を直感的に把握できる形状、模様若しくは色彩又はこれらの結合（即ち、視認可能な図形等）からなる表示意匠であればよい。
【００７７】
また、宅内表示盤８０の表示部８１がカラー表示可能な表示装置である場合には、達成度合Ｌに応じた各顔マークＫ１〜Ｋ３を互いに異なる色で表示する（即ち、色彩を付する）ようにしてもよい。例えば、顔マークＫ１を赤色、顔マークＫ２を黄色、顔マークＫ３を緑色で表示する。または、表示部８１とは別に、表示意匠として、緑色、黄色、赤色の発光ダイオードランプを設けて、これらを達成度合に応じて点灯するようにしても良い。つまり、表示部８１に表示される表示意匠が、達成度合に応じて互いに異なる色彩が付されていることを特徴としてもよい。このように表示意匠に色彩を付することで、例えば、ほぼ目標達成したとき（９０％達成）は「緑色」、目標まで３分の２程度達成（６０％以上）したときは「黄色」、目標まで３分の２程度に満たない（６０％未満）ときは「赤色」とするなどして、使用者に、達成度合をより直感的に把握させることができる。
【００７８】
また、本実施形態において、一日、一ヶ月間及び一年間の各使用期間において削減できたガス使用料金を算出するとともに、各使用期間における削減目標値に対する達成度合を算出して、これら達成度合に応じた顔マークＫを表示するものであったが、これに限定するものではなく、例えば、一ヶ月間など、予め定められた使用期間のみ、削減できたガス使用料金を算出すると共に、この使用期間における削減目標値に対する達成度合を算出して、この達成度合に応じた顔マークＫを表示するものであってもよい。
【００７９】
また、月間削減ガス使用料金Ｙｍについて、例えば、当月及び過去６ヶ月分をメモリ部５２に記憶して、使用者の要求に応じて、当月及び過去６ヶ月分の月間削減ガス使用料金Ｙｍおよびこれら月間削減ガス使用料金Ｙｍについての月間削減目標値Ｍｍに対する達成度合に応じた顔マークＫを表示するようにした、履歴機能を設けてもよい。同様に、日間削減ガス使用料金Ｙｄ、及び、年間削減ガス使用料金Ｙｙについても、履歴機能を設けてもよい。
【００８０】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００８１】
１      太陽熱給湯システム
２      太陽熱温水器
３      混合手段
４      給湯器
５      削減燃料費算出装置
６      冷水温度センサ
７      温水温度センサ
８      流量センサ
５１    ＭＰＵ
５１ａ  ＣＰＵ（削減値算出手段、達成度合算出手段、表示制御手段、削減目標値入力手段、使用期間毎削減目標値算出手段）
５２    メモリ部（削減目標値記憶手段）
８０    宅内表示盤
Ｋ      顔マーク（表示意匠）
Ｍｍ    ガス使用料金の月間削減目標値（所定の使用期間での燃料費の削減目標値）
Ｍｄ    ガス使用料金の日間削減目標値（他の使用期間での燃料費の削減目標値）
Ｍｙ    ガス使用料金の年間削減目標値（他の使用期間での燃料費の削減目標値）
Ｙｍ    月間削減ガス使用料金（所定の使用期間に削減できた燃料費）
Ｙｄ    日間削減ガス使用料金（他の使用期間に削減できた燃料費）
Ｙｙ    年間各弁ガス使用料金（他の使用期間に削減できた燃料費）
【図１】
2011220647.tif 000003
【図２】
2011220647.tif 000004
【図３】
2011220647.tif 000005
【図４】
2011220647.tif 000006
【図５】
2011220647.tif 000007
【図６】
2011220647.tif 000008
【図７】
2011220647.tif 000009
【図８】
2011220647.tif 000010